(57)【要約】      （修正有）【課題】オモリや天秤・カゴ・コマセカゴ・浮き等の仕掛部品を投入する際に、仕掛部品の飛行の方向が、常に前方に向いた状態で、安定した状態で飛行する仕掛けを提供する。【解決手段】仕掛投入時に前方に有る部品の前方に鈎部４を設け、これに道糸３に設けた掛輪２を着合うし、仕掛け投入加速時に部品を繋引した後、鈎部４と掛輪２が離脱して、その後、部品後部に設けた道糸環７により道糸３を引行し、飛行中に部品の反転や動揺が無く前方に安定して飛行する。【選択図】図１
0003217808.tif 000002
【実用新案登録請求の範囲】
【請求項１】
オモリや天秤・カゴ・コマセカゴ・浮き等の仕掛部品の前方に鈎部４を設け、これに道糸３に設けた掛環４を着合うし、仕掛け投入加速時に部品を繋引した後、鈎部４と掛環４が離脱して、その後、部品後部に設けた道糸環７により道糸３を引行し、飛行中に部品の反転や動揺が無く前方に安定して飛行する仕掛け。
【請求項２】
仕掛部品の前方に、螺旋状部１３を設け、其の内穴に、道糸３に設けた掛ピン１５を差し込み、仕掛け投入加速時に部品を繋引した後、螺旋状部１３と掛ピン１５が離脱して、その後、部品後部に設けた道糸環７により道糸３を引行し、飛行中に部品の反転や動揺が無く前方に安定して飛行する仕掛け。
【考案の詳細な説明】
【技術分野】
【０００１】仕掛けを絡ませないで、より遠くえ安定して飛ばす、仕掛け係わる
【考案の解決しようとする課題】
【０００２】  仕掛けを投入する時、オモリ及び天秤・コマセカゴ。ウキ等を反転や動揺する事を無くし、空気の抵抗を少なくし、仕掛を絡ませないで、安定してより遠くへ飛ばす事。
【考案の課題を解決する手段】
【０００３】  オモリや天秤・カゴ・コマセカゴ・浮き等の仕掛部品の前方部位に、鈎部４或いは螺旋状管部を設け、道糸３に着合する掛環２或いは掛ピン１５を設け、これ等を掛けて仕掛けを投入すると、加速時に道糸３で仕掛け部品が引行された後、掛け合いが外れて、仕掛け部品の後部の道糸環７に道糸３が引かれて、普通の飛行状態で飛行し、飛行中に部品の反転や動揺が無く安定して飛行させるものである。
【考案の効果】
【０００４】オモリや天秤・カゴ・コマセカゴ・浮き等の仕掛部品を飛行中に反転や動揺が無く一定方向に安定して飛行させる事により、空気抵抗を少なくして飛行距離を延ばす事が出来、仕掛けの絡み防止の効果を大きくする事が出来る、と共に、複数の部品を掛合して、並設した状態で一緒に投入する事が出来る。
特にオモリにおいては、長手方向に伸ばして、飛行方向に対する断面を極端に細くして、空気抵抗を最小にする事、或いは、翼を設けて飛行させる事により飛ぶ距離を延ばすこと、及び、扁平にして海底で天秤を直立させて、仕掛けを少し浮かせた状態にして、潮流に乗せて魚を誘う等の大きなが効果が得られる。
【図面の簡単な説明】
【０００５】
【図１】第一図は、第１例でオモリの一部の断面を示す正面図・
【図２】第二図は、第２例の正面図
【図３】第三図は、第３例の、掛ピンＡの正面図
【図４】第四図は、第３例の、オモリの断面図
【考案を実施しするための形態】
【０００６】  オモリや天秤・カゴ・コマセカゴ・浮き等の仕掛部品の前方部位に、鈎部４或いは螺旋状管部を設け、道糸３に着合する掛環２或いは掛ピン１５を設け、これ等を掛けて仕掛けを投入すると、加速時は道糸３で仕掛け部品が引行され、その後、引行する掛け合いが外れて、反転や動揺が無く安定して飛行させる様に構成されたものである。
【実施例】
【０００７】    第１図は第一例を示し、オモリ１の前方下部に凹部５が設けられていて、この内側に鈎部４が有り、これに道糸３に結ばれた掛環４が掛けられて、道糸３により引航し、投入の加速時には、仕掛けが図の状態で飛行し、その後、鈎部４が外れて、サルカン８が天秤の道糸穴７に掛かり、道糸３を引く状態に変り、通常の飛行をし、着水する迄オモリと天秤が反転や動揺する事無く前方に安定して飛行する様に構成されたものである。【０００８】    第２図は，第二例で、オモリ２の下部に螺旋状部１３を設け、其の内側の穴に、結び環１４に道糸３を結んだ掛ピン１５を着合して、仕掛けを投入しるもので、投入加速が終た時点で掛ピン１５が外れ、仕掛けが道糸を引く状態に変り、天秤の道糸環７に結ばれた道糸３が引かれて飛行するものである。【０００９】第三図、第四図、は第三例の要部を示すもので、道糸３に結び環１４で結ばれた掛ピン１５Ａを、オモリ下部のＶ字溝１７内に設けた環１６に着合して、Ｖ字溝１７内に掛ピン１５Ａが前方を向いて着合する様に形成されたもので、第二例と同様に安定して飛行する効果を持つものである。
【符号の説明】
【００１０】１    オモリ        ２    掛環          ３    道糸        ４    鈎部
５    凹部          ６    道糸Ａ        ７    道糸環      ８    天秤本体
９    天秤枝        １０  ハリス環      １１  ハリス      １２  鋳込み部
１３  螺旋状部      １４  結び環        １５  掛ピン      １６  環
１７  Ｖ字溝
【図１】
0003217808.tif 000003
【図２】
0003217808.tif 000004
【図３】
0003217808.tif 000005
【図４】
0003217808.tif 000006
【手続補正書】
【提出日】平成30年6月7日(2018.6.7)
【手続補正１】
【補正対象書類名】実用新案登録請求の範囲
【補正対象項目名】全文
【補正方法】変更
【補正の内容】
【実用新案登録請求の範囲】
【請求項１】
仕掛投入時に前方に有る部品の前方に鈎部４を設け、これに道糸３に設けた掛輪２を着合うし、仕掛け投入加速時に部品を繋引した後、鈎部４と掛輪２が離脱して、その後、部品後部に設けた道糸環７により道糸３を引行し、飛行中に部品の反転や動揺が無く前方に安定して飛行する仕掛け。
【請求項２】
仕掛投入時に前方にある部品の前方に、螺旋状部１３を設け、其の内側の管穴に、道糸３に設けた掛ピン１５を差し込み、仕掛け投入加速時に部品を繋引した後、螺旋状部１３と掛ピン１５が離脱して、その後、部品後部に設けた道糸環７により道糸３を引行し、飛行中に部品の反転や動揺が無く前方に安定して飛行する仕掛け。
【手続補正２】
【補正対象書類名】明細書
【補正対象項目名】全文
【補正方法】変更
【補正の内容】
【考案の詳細な説明】
【技術分野】
【０００１】  仕掛けを絡ませないで、より遠くえ安定して飛ばす、仕掛け係わる
【考案の解決しようとする課題】
【０００２】  仕掛けを投入する時、オモリ及び天秤・コマセカゴ。ウキ等を反転や動揺する事を無くし、空気の抵抗を少なくし、仕掛を絡ませないで、安定してより遠くへ飛ばす事。
【考案の課題を解決する手段】
【０００３】  オモリや天秤・カゴ・コマセカゴ・浮き等の仕掛部品の前方部位に、鈎部４或いは螺旋状管部を設け、道糸３に着合する掛輪２或いは掛ピン１５を設け、これ等を掛けて仕掛けを投入すると、加速時に道糸３で仕掛け部品が引行された後、掛け合いが外れて、仕掛け部品の後部の道糸環７に道糸３が引かれて、普通の飛行状態で飛行し、飛行中に部品の反転や動揺が無く安定して飛行させるものである。
【考案の効果】
【０００４】オモリや天秤・カゴ・コマセカゴ・浮き等の仕掛部品を飛行中に反転や動揺が無く一定方向に安定して飛行させる事により、空気抵抗を少なくして飛行距離を延ばす事が出来、仕掛けの絡み防止の効果を大きくする事が出来る、と共に、複数の部品を掛合して、並設した状態で一緒に投入する事が出来る。
特にオモリにおいては、長手方向に伸ばして、飛行方向に対する断面を極端に細くして、空気抵抗を最小にする事、或いは、翼を設けて飛行させる事により飛ぶ距離を延ばすこと、及び、扁平にして海底で天秤を直立させて、仕掛けを少し浮かせた状態にして、潮流に乗せて魚を誘う等の大きなが効果が得られる。
【図面の簡単な説明】
【０００５】第一図は、第１例でオモリの一部の断面を示す正面図・
第二図は、第２例の正面図
第三図は、第３例の、掛ピンＡの正面図
第四図は、第３例の、オモリの断面図
【考案を実施しするための形態】
【０００６】  オモリや天秤・カゴ・コマセカゴ・浮き等の仕掛部品の前方部位に、鈎部４或いは螺旋状管部を設け、道糸３に着合する掛輪２、或いは掛ピン１５を設け、これ等を掛けた状態で仕掛けを投入すると、加速時には道糸３で仕掛け部品がそのまま前方に引行され、その後、引行する掛け合いが外れて、反転や動揺が無く安定して飛行させる様に構成されたものである。
【実施例】
【０００７】    第１図は第一例を示し、オモリ１の前方下部に凹部５が設けられていて、この内側に鈎部４が有り、これに道糸３に結ばれた掛輪２が掛けられて、道糸３により引航し、投入の加速時には、仕掛けが図の状態で飛行する、掛輪２は道糸自体に設けた糸の掛輪で代用しうるでもで、加速後、鈎部４が外れて、サルカン８が天秤の道糸穴７に掛かり、道糸３を引く状態に変り、通常の飛行をし、着水する迄オモリと天秤が反転する事無く前方に安定して飛行する様に構成されたものである。【０００８】    第２図は，第二例で、オモリ２の下部に螺旋状部１３を設け、其の内側の穴に、結び環１４に道糸３を結んだ掛ピン１５を着合して、仕掛けを投入しるもので、投入加速が終了した時点で掛ピン１５が外れ、仕掛けが道糸を引く状態に変り、天秤の道糸環７に結ばれた道糸３が引かれて飛行するものである。【０００９】  第三図、第四図、は第三例の要部を示すもので、道糸３に結び環１４で結ばれた掛ピン１５Ａを、オモリ下部のＶ字溝１７内に設けた環１６に着合して、Ｖ字溝１７内に掛ピン１５Ａが前方を向いて着合する様に形成されたもので、第二例と同様に安定して飛行する効果を持つものである。【００１０】  第１例、第２例は、オモリ付き天秤に付いて例示したので、オモリ、天秤、ウキ、コマセカゴ、等、単体で投入する場合に於いても、其の前方に鈎部４を設けその後部に、道糸環７を設け、道糸環７に連結した道糸３に着合した掛輪２を設け、投入時に鈎部４に掛輪２を掛けて使用する事により、同様の効果を得ることが出来、これ等の部品は連結した状態でも、投入時に先頭にある部品に鈎部７を付け、後部位置の部品の後部に道糸環７を設け、この道糸に掛輪２を設けて使用出する事により同様の効果を得ることが出来る。
又、第二例の様に、前方に管状の穴を設け、道糸に３に掛ピン１５を設けて、これを投入時に掛けて使用する事により同様の効果を得ることが出来る。
【符号の説明】
【００１１】１    オモリ        ２    掛輪          ３    道糸          ４    鈎部
５    凹部          ６    道糸Ａ        ７    道糸環        ８    天秤本体
９    天秤枝        １０  ハリス環      １１  ハリス        １２  鋳込み部
１３  螺旋状部      １４  結び環        １５  掛ピン        １６  環
１７  Ｖ字溝